(57)【要約】      （修正有）【課題】指向機能を備える時計／腕時計の構造を提供する。【解決手段】時計／腕時計の表面に６０個の表示灯を設け、表示灯１０は第１発光状態と第２発光状態とを有し、表示灯１０は同じ大きさ、かつ等間隔に配列していて、第１発光状態の表示灯１０は時の表示灯１０ａであり、第２発光状態の表示灯１０は分の表示灯１０ｂである。時の表示灯１０ａと分の表示灯１０ｂとの間にある各表示灯１０は時の表示灯１０ａから指向性の発光および点滅をすることによって、使用者が現在時刻の読取りをするのに便利である。表示灯１０の発光部材は発光ダイオードまたは電球であるため、夜中であっても使用者は容易に時刻の読み取りができるほか、使用者は表示灯１０によって囲まれた時計／腕時計の表面空間に図案を配置することができる。【選択図】図２
0003182384.tif 000002
【実用新案登録請求の範囲】
【請求項１】
指向機能を備える時計／腕時計の構造であって、
時計／腕時計の表面に６０の表示灯を繞設し、
前記表示灯は第１発光状態と第２発光状態とを有し、使用者は前記第１発光状態と、前記第２発光状態によって、現在時刻を読み取ることができ、
前記表示灯の大きさはそれぞれ等しく、かつ等間隔に前記時計／腕時計の表面に配列されており、
前記第１発光状態の前記表示灯は時の表示灯であり現在時刻の時を表し、
前記第２発光状態の前記表示灯は分の表示灯であり現在時刻の分を表し、
前記時の表示灯と前記分の表示灯との間の表示灯は前記時の表示灯より順を追って点灯し順を追って消灯することを特徴とする、
指向機能を備える時計／腕時計の構造。
【請求項２】
前記第１発光状態は継続的に発光し、前記第２発光状態は点滅し、かつ前記時の表示灯と、前記分の表示灯の位置が重なるとき、前記第２発光状態となることを特徴とする、請求項１記載の指向機能を備える時計／腕時計の構造。
【請求項３】
前記時の表示灯と、前記分の表示灯とが重なる場所にある前記表示灯を起点とし、各前記表示灯が連続発光方式により順を追って作動することを特徴とする、請求項２記載の指向機能を備える時計／腕時計の構造。
【請求項４】
前記時の表示灯と、前記分の表示灯との間の前記表示灯は順を追って点灯し、かつ設定時間を経過した後、また同じ順を追って消灯し、かつ前記時の表示灯と前記分の表示灯の間にある前記表示灯は逐一点灯し、逐一消灯することを特徴とする、請求項１記載の指向機能を備える時計／腕時計の構造。
【請求項５】
前記時の表示灯を表す数字が前記分の表示灯を表す数字より小さいとき、前記時の表示灯と前記分の表示灯に挟まる前記表示灯の作動方向は時計方向であり、前記時の表示灯を表す数字が前記分の表示灯を表す数字より大きいとき、前記時の表示灯と前記分の表示灯に挟まる前記表示灯の作動方向は逆時計方向であることを特徴とする、請求項１記載の指向機能を備える時計／腕時計の構造。
【考案の詳細な説明】
【技術分野】
【０００１】
本考案は時計／腕時計の表示構造に関し、特に使用者が現在の時刻をより簡単に読み取ることのできる指向機能を備える時計構造に関する。
【背景技術】
【０００２】
一般の機械式時計／腕時計（以下、時計と略する）は回動可能な長針と、短針と、秒針および時計の表面に繞設された１２の時間表示点によって、現在時刻の判読が行われている。
しかし、時計の表面に図案飾りが設けられている場合は、長針と、短針と、回動し続ける秒針が邪魔となり、時計の美観性が損なわれる。さらに、それぞれ９０度に分割されていない時計は容易に判読できず、読み間違いが生じるほか、一般の機械式時計の構造の多くは夜光機能を設けておらず、夜間または光照度不足のときには読み取り困難であるという問題がある。
【先行技術文献】
【特許文献】
【０００３】
【特許文献１】台湾特許Ｍ４５０３６５号
【特許文献２】台湾特許Ｍ４９５０４８号
【考案の概要】
【考案が解決しようとする課題】
【０００４】
その後はデジタル式の電子時計が市販されている。この種の時計は読み取りやすく、直接に表示数字から現在時刻を知ることができる。しかし、表示数字の表示区域を確保する必要があるため、設計が難しいほか設計の範囲も制限を受ける。このほか、電子式時計は素子を多く使用しており、製造上の不便をきたしている。
【０００５】
前述した課題を改善するための、考案者による、台湾特許Ｍ４５０３６５号（特許文献１）時計／腕時計表示構造の改良においては、時計または腕時計の表面に時を表示する灯リングと、分を表示する灯リングと、を備え、前記時を表示する灯リングは１２の表示素子を有し、前記分を表示する灯リングは６０の表示素子を有する。前記時を表示する灯リングの点灯場所と、前記分を表示する灯リングの点灯場所によって、現在時刻を読み取ることができる。
しかし、この種の設計には複数の表示灯を取り付ける必要があり、表示灯に対応するため、多くの制御ユニットを取り付けなければならないほか、分を表示する灯リングの点灯場所はすぐにその位置を読み取り現在の分数を読み取ることが難しい。
【０００６】
さらに、考案者によるもう一つの考案である、台湾特許Ｍ４９５０４８号（特許文献２）時計／腕時計の表示構造は、時計または腕時計の表面に６０の表示点を設け、長針を示す１２の大きい表示点以外は短針を示す小さい指示点であり、１２の長針の表示点のいずれかと、隣接するいずれかの短針の表示点が同時に点灯されるときは時を表し、残りの短針の表示点が点灯するときは分を表す。もし、長針の表示点とその両側に隣接された短針の表示点が時の表示点であるとき、時の長針の指示点またはその両側に輪設された分の短針の表示点が点滅して、分を表す。この種の設計は異なる発光方式によって、使用者による時と分の判読に提供されている。
しかし、発光の方式が複雑しすぎて利用者が覚えにくい。加えて、読み取るときは、発光状態から現在時刻に置き換えるための思考が必要なほか、少しでも離れると、表示点位置の読み取りが難しくなり、使用には極めて不便である。
【０００７】
考案者は前述した時計／腕時計の構造に関わる課題の改善を図ると共に、時計／腕時計の設計を向上するため、使用者が表示点の表す時と分をより簡単に読み取ることができるほか、時計／腕時計の構造に多元化の表示方式を織り込み、美観性と実用性とを結合した、指向機能を備える時計構造を考案した。
【課題を解決するための手段】
【０００８】
本考案の一つの目的は、使用者による現在時刻の読み取りに備えるために、６０の表示灯を継続的に点滅発光させ、時を表す表示灯と、分を表す表示灯との間にある表示灯の発光と点滅によって、指向機能を有し、使用者は容易に各表示灯が表す数字を判読できるほか、発光ダイオードなどの発光素子を表示灯の発光体に使用し、使用者は夜間または暗い場所でも現在時刻を容易に知ることができる、指向機能を備える時計構造を提供することである。
【０００９】
本考案のもう一つの目的は、長針と、短針と、秒針とを取り付ける代わりに、６０の表示灯を時刻の表示素子に使用できるほか、公知技術のように長針、短針と秒針によって邪魔されることなく、使用者または業者が空白の場所にアイデアの図案または広告を設けることができる、指向機能を備える時計構造を提供することである。
【００１０】
前述の目的を達成するため、本考案の指向機能を備える時計構造は、時計／腕時計の表面に６０の表示灯を設け、表示灯は第１発光状態と、第２発光状態とを有し、使用者は第１発光状態と第２発光状態によって、現在時刻を読み取ることができる。
特徴として、各表示灯の大きさは等しく、かつ等間隔に時計／腕時計の表面に配列される。そのうち、第１発光状態を有する表示灯は時の表示灯であり、第２発光状態を有する表示灯は分の表示灯である。時の表示灯と、分の表示灯との間にある表示灯は時の表示場所より順を追って点灯し、かつ順を追って消灯して行き、使用者の判読に便利を提供する。
【００１１】
そのうち、第１発光状態は継続して発光され、第２発光状態は点滅して発光される。
また、時の表示灯と分の表示灯の位置とが重なったときは、第２発光状態となる。このとき、本考案は時の表示灯と分の表示灯とが重なる場所の表示灯を起点として、各表示灯は連続して点滅し、順を追って作動する。
【００１２】
さらに、時の表示灯と分の表示灯との間にある表示灯は、順を追って所定の時間点灯した後、同じ順を追って消灯する。時の表示灯と分の表示灯との間にある表示灯は、逐一点灯し、逐一消灯する。
【００１３】
さらに、時の表示灯を表す数字が分の表示灯を表す数字より小さいとき、時の表示灯と分の表示灯に挟まる表示灯の表示方向は時計方向であり、時の表示灯を表す数字が分の表示灯より大きいとき、時の表示灯と分の表示灯に挟まる表示灯の作動方向は逆時計方向である。
【図面の簡単な説明】
【００１４】
【図１】本考案の好ましい実施例の構造態様図である。
【図２】本考案の好ましい実施例の応用概略図である（その１）。
【図３】本考案の好ましい実施例の応用概略図である（その２）。
【図４Ａ】本考案の好ましい実施例のもう一つの指向性作動表示図（その１）である。
【図４Ｂ】本考案の好ましい実施例のもう一つの指向性作動表示図（その２）である。
【図４Ｃ】本考案の好ましい実施例のもう一つの指向性作動表示図（その３）である。
【考案を実施するための形態】
【００１５】
本考案の内容のさらなる理解を図るため、以下にて図面と合わせて説明する。
【実施例】
【００１６】
図１〜３及び図４Ａ〜４Ｃの、本考案の好ましい実施例の構造態様図と、各応用態様図と、もう一つの指向性作動表示図とを参照する。
本考案の指向機能を備える時計構造１は、時計／腕時計の表面２に６０の表示灯１０を繞設する。表示灯１０は第１発光状態と第２発光状態とを有し、使用者は第１発光状態と第２発光状態によって、現在時刻を読み取ることができる。特徴として、各表示灯１０の大きさはそれぞれ等しく、かつ等間隔に時計／腕時計の表面２に配列されている。そのうち、表示灯１０は発光ダイオード（ＬＥＤ）または電球などの発光素子を使用するか、または液晶表示装置に取り付けることが好ましく、指向機能を備える時計構造１が夜間または暗いときもはっきり読み取れるようにする。
第１発光状態は継続発光し、第２発光状態は点滅発光する。第１発光状態の表示灯１０は時の表示灯１０ａであり、現在時刻の時を表す。そのうち、３つの隣接する表示灯１０を同時に第１発光状態にして、時の表示とする。
本実施例において、一つのみの第１発光状態を表示灯１０として、時を表示する。第２発光状態の表示灯１０は分の表示灯１０ｂであり、現在の分を表す。このように、使用者は表示灯１０の異なる発光状態より、現在時刻を容易に知ることができる。使用者により早く表示灯１０に表す数字を判読させるため、時の表示灯１０ａと分の表示灯１０ｂとの間にある各表示灯１０は時の表示灯１０ａの場所から順を追って、時計方向または逆時計方向に点灯し、同じ方向に順を追って消灯し、指向の目的を達成し、使用者の判読に便利である。
【００１７】
そのうち、表示灯１０の時計方向または逆時計方向の作動は使用者の需要に従って調整できる。好ましくは、時の表示灯１０ａを表す数字が分の表示灯１０ｂを表す数字より小さいとき、時の表示灯１０ａと分の表示灯１０ｂに挟まる表示灯１０の作動方向は図２と３に示すように、時計方向である。
これに対して、時の表示灯１０ａを表す数字が分の表示灯１０ｂを表す数字がより大きいとき、時の表示灯１０ａと分の表示灯１０ｂに挟まる表示灯１０の作動方向は逆時計方向である。ただし、本考案はこれに限らず、必要に応じて、表示灯１０の作動方向を変更できる。
本実施例において、時の表示灯１０ａと分の表示灯１０ｂとの間にある各表示灯１０の作動方向は、逐一点灯し、逐一消灯する。時の表示灯１０ａと分の表示灯１０ｂとの間にある各表示灯１０の数が複数のとき、各表示灯１０の作動方向は２つを一組として、順を追って点灯し、順を追って消灯するように、表示灯１０の指向状態をより多くすることによって、使用者に様々な視覚を提供できる。
【００１８】
そのうち、時の表示灯１０ａと分の表示灯１０ｂ間の各表示灯１０は順を追って点灯し、所定の時間を経過した後、同じ順を追って消灯するようになっている。設定の時間は、２秒または４秒が好ましいが、本考案は使用者の需要によって調節でき、時間設定は前述の秒数に限られない。
【００１９】
特に説明することは、図４Ａ〜４Ｃに示すように、時の表示灯１０ａと分の表示灯１０ｂの位置が重なったときは、第２発光状態である。すなわち、その場所は継続に点滅発光する。このとき、指向機能を備える時計構造１は時の表示灯１０ａと分の表示灯１０ｂと重なった場所の表示灯１０を起点として、各表示灯１０は連続して点滅し、順を追って作動し、指向機能を備える時計構造１はもう一つの作動方式によって、使用者に現在時刻を知らせる。
【００２０】
さらに、指向機能を備える時計構造１は使用者の需要により、従来の時計のように、１〜１２時の場所にある表示灯１０を点灯状態にして、時の表示灯１０ａ両側にある表示灯１０も同時に点灯させ、一層の注意効果を達成できる。また、表示灯１０が連続して点滅する方式により順を追って作動すると共に、表示灯１０を一周回ることを１分間として、秒の表示効果を達成し、より多様な表示機能を提供することによって、使用者により精確に時間の判読方法を提供できる。
【００２１】
本考案の指向機能を備える時計構造１は表示灯１０の異なる発光状態を利用し、使用者に現在時刻を知らせるほか、例えば電光掲示板など連続して点滅するかまたは分の表示灯１０ｂに向かって次第に発光してから、同じ順を追って消灯の方式により、第１発光状態と第２発光状態における表示灯１０の正確位置を知らせることができる。
このほか、発光ダイオードまたは電球を表示灯１０に取り付けた場合、夜間または暗い場所であっても、指向機能を備える時計構造１から簡単に現在時刻を判読できる。さらに、表示灯１０は従来の時計の長針と短針の代わりに、表示灯１０を繞設するので時計／腕時計の表面２にある空間に使用者は図案を配置することができ、美観性と実用性をかね併せた設計である。
【符号の説明】
【００２２】
１      指向機能を備える時計／腕時計の構造
１０    表示灯
１０ａ  時の表示灯
１０ｂ  分の表示灯
２      時計／腕時計の表面
【図１】
0003182384.tif 000003
【図２】
0003182384.tif 000004
【図３】
0003182384.tif 000005
【図４Ａ】
0003182384.tif 000006
【図４Ｂ】
0003182384.tif 000007
【図４Ｃ】
0003182384.tif 000008